(57)【要約】【課題】着用物品から排泄物が漏れるのを抑える。【解決手段】使い捨ておむつ１０は、縦方向Ｙ及び横方向Ｘを有し、前ウエスト域１３と、後ウエスト域１４と、前後ウエスト域１３，１４の間に位置するクロッチ域１５と、少なくともクロッチ域１５に位置する吸収体６６とを含む。吸収体６６は、クロッチ域１５において横方向に互いに対向する吸収体両側部６６ｅと、吸収体両側部６６ｅにおいて縦方向へ延びる変形誘導部７８とを有している。吸収体両側部６６ｅの横方向の外側には、縦方向へ延びる弾性のサイドフラップ７０が位置する。サイドフラップ７０の横方向の寸法Ｗ３は、吸収体６６の吸収体両側縁６６ｃから変形誘導部７８の側縁までの横方向の寸法Ｗ４よりも大きい。【選択図】図４
2019097967.tif 000002
【特許請求の範囲】
【請求項１】
縦方向及び横方向を有し、前ウエスト域と、後ウエスト域と、前後ウエスト域の間に位置するクロッチ域と、少なくとも前記クロッチ域に位置する吸収体とを含む使い捨て着用物品において、
前記吸収体は、前記クロッチ域において前記横方向に互いに対向する吸収体両側部と、前記吸収体両側部において前記縦方向へ延びる変形誘導部とを有し、
前記吸収体両側部の前記横方向の外側には、前記縦方向へ延びる弾性のサイドフラップが位置し、
前記サイドフラップの前記横方向の寸法が、前記吸収体の両側縁から前記変形誘導部の側縁までの前記横方向の寸法より大きいことを特徴とする着用物品。
【請求項２】
前記変形誘導部は、前記クロッチ域にのみ位置する請求項１に記載の着用物品。
【請求項３】
前記変形誘導部は、前記縦方向の両端に誘導両端部を有し、
前記前ウエスト域の側に位置する一方の誘導端部が、前記後ウエスト域の側に位置する他方の誘導端部よりも上方に位置するように前記変形誘導部が前記縦方向において偏倚している請求項１又は２に記載の着用物品。
【請求項４】
前記後ウエスト域は、前記横方向において離間対向する一対の弾性域と、前記弾性域の間に位置する非弾性域とを有し、
前記弾性域と前記非弾性域との境界線を前記クロッチ域へ延長した一対の仮想線の間に、前記変形誘導部が位置する請求項１〜３のいずれかに記載の着用物品。
【請求項５】
前記吸収体と、前記吸収体の前記非肌対向面側に位置する外面シートとを含む吸液構造体をさらに有し、
前記サイドフラップは、前記縦方向へ延びる複数条のレッグ弾性体と、前記レッグ弾性体が取り付けられたベースシートとを有し、
前記ベースシートと前記外面シートとが一体に形成される請求項１〜４のいずれかに記載の着用物品。
【請求項６】
前記吸液構造体は、前記吸収体と前記外面シートとの間に介在された不透液性の防漏シートをさらに有し、
前記防漏シートは、前記吸収体の前記両側縁からさらに前記横方向の外側に延出し、
前記サイドフラップの前記横方向の寸法に対する、前記サイドフラップ内に位置する前記防漏シートの前記横方向の寸法が５０％以上である請求項５に記載の着用物品。
【請求項７】
前記レッグ弾性体の間隔は、吸液構造体両側縁に近くなるほど狭くなる請求項５又は６に記載の着用物品。
【発明の詳細な説明】
【技術分野】
【０００１】
この発明は、使い捨て着用物品に関し、より詳しくは、使い捨ておむつ、使い捨てのトイレット・トレーニングパンツ、使い捨て失禁パンツ等の使い捨て着用物品に関する。
【背景技術】
【０００２】
従来、縦方向および横方向を有し、肌対向面と、非肌対向面と、前ウエト域と、後ウエスト域と、前後ウエスト域の間に位置するクロッチ域と、吸収性コアを有してクロッチ域から前後ウエスト域へ延びる吸液構造体とを含む使い捨て着用物品は公知である。
【０００３】
例えば、特許文献１には、股下部に、幅方向に３つに分割されたコア片を有する吸収性コアを備えるとともに、コア片の間に吸収性コアが存在しないコア間領域が位置する使い捨ておむつが開示されている。
【先行技術文献】
【特許文献】
【０００４】
【特許文献１】特開２００７−２６０１４８号公報
【発明の概要】
【発明が解決しようとする課題】
【０００５】
特許文献１に開示された使い捨ておむつによれば、３つに分割されたコア片の間に吸収性コアが存在しないコア間領域が位置するため、おむつを着用するとき、股下部がスムーズに着用者の股間に入り、これによって、おむつを着用者に容易にはかせることができる。
【０００６】
しかし、特許文献１に開示されたおむつでは、着用者におむつを着用させるとき、コア間領域によって、吸収性コアの幅方向の中央部が着用者の肌から離れるように変形（幅方向の中央部が下方へ位置し、吸収性コアの両側部が中央部の上方へ位置するようにカップ状に変形）し、おむつから尿等の排泄物がもれるおそれがある。
【０００７】
本発明の目的は、従来の使い捨て着用物品の改良にあり、着用物品から排泄物がもれるのを抑えることができる使い捨て着用物品の提供にある。
【課題を解決するための手段】
【０００８】
前記課題を解決するために、本発明は、縦方向及び横方向を有し、前ウエスト域と、後ウエスト域と、前後ウエスト域の間に位置するクロッチ域と、少なくとも前記クロッチ域に位置する吸収体とを含む使い捨て着用物品に関する。
【０００９】
この発明に係る使い捨て着用物品は、前記吸収体は、前記クロッチ域において前記横方向に互いに対向する吸収体両側部と、前記吸収体両側部において前記縦方向へ延びる変形誘導部とを有し、前記吸収体両側部の前記横方向の外側には、前記縦方向へ延びる弾性のサイドフラップが位置し、前記サイドフラップの前記横方向の寸法が、前記吸収体の両側縁から前記変形誘導部の側縁までの前記横方向の寸法より大きいことを特徴とする。
【００１０】
前記変形誘導部は、前記クロッチ域にのみ位置する。よって、前後ウエスト域で吸収体が変形するのを防止し、着用状態における外観を向上することができる。
【００１１】
前記変形誘導部は、前記縦方向の両端に誘導両端部を有し、前記前ウエスト域の側に位置する一方の誘導端部が、前記後ウエスト域の側に位置する他方の誘導端部よりも上方に位置するように前記変形誘導部が前記縦方向において偏位している。よって、クロッチ域の前ウエスト域の側では、吸収体を着用者の肌に密着するように変形させて尿等の排泄物が着用物品から漏れるのを抑えることができる一方、クロッチ域の後ウエスト域側では、吸収体の変形を抑え、臀部を覆うことができる。
【００１２】
前記後ウエスト域は、前記横方向において離間対向する一対の弾性域と、前記弾性域の間に位置する非弾性域とを有し、前記弾性域と前記非弾性域との境界線を前記クロッチ域へ延長した一対の仮想線の間に、前記変形誘導部が位置する。よって、第三者が、後ウエスト域の横方向の中央部を手で持って上方へ引き上げて着用物品を着用させるとき、後ウエスト域の中央部に加えられる力は、吸収体両側部の間に加えられることになる。吸収体両側部の間には、剛性の大きい吸収性コアが縦方向へ連続して配置されているため、着用物品を上方へ引き上げる力が減少するのを抑えることができる。
【００１３】
前記吸収体と、前記吸収体の前記非肌対向面側に位置する外面シートとを含む吸液構造体をさらに有し、前記サイドフラップは、前記縦方向へ延びる複数条のレッグ弾性体と、前記レッグ弾性体が取り付けられたベースシートとを有し、前記ベースシートと前記外面シートとが一体に形成される。よって、ベースシートと外面シートとが直接、繋がっているため、サイドフラップの弾性によって着用者の肌にサイドフラップを密着させると、吸収体両側部を着用者の肌に密着させることができ、これによって排泄物が着用物品から漏れるのを抑えることができる。
【００１４】
前記吸液構造体は、前記吸収体と前記外面シートとの間に介在された不透液性の防漏シートをさらに有し、前記防漏シートは、前記吸収体の前記両側縁からさらに前記横方向の外側に延出し、前記サイドフラップの前記横方向の寸法に対する、前記サイドフラップ内に位置する前記防漏シートの前記横方向の寸法が５０％以上である。よって、防漏シートによって、吸収体とサイドフラップとが繋がっているため、サイドフラップの弾性によって着用者の肌にサイドフラップを密着させると、吸収体両側部を着用者の肌に密着させることができ、これによって排泄物が着用物品から漏れるのを抑えることができる。
【００１５】
前記レッグ弾性体の間隔は、吸液構造体両側縁に近くなるほど狭くなる。よって、サイドフラップは、吸液構造体両側縁に近くなるほど着用者の肌に密着し、排泄物が着用物品から漏れるのを抑えることができる。
【発明の効果】
【００１６】
本発明に係る使い捨て着用物品は、吸収体は、クロッチ域において横方向に互いに対向する吸収体両側部と、吸収体両側部において縦方向へ延びる変形誘導部とを有し、吸収体両側部の横方向の外側には、縦方向へ延びる弾性のサイドフラップが位置し、サイドフラップの横方向の寸法が、吸収体の両側縁から変形誘導部までの横方向の寸法よりも大きい。このため、着用物品を着用するとき、弾性を有するサイドフラップが摩擦抵抗によって着用者の大腿部に当接した位置に留まる一方、変形誘導部の影響によって、変形誘導部を起点として下方へ凹となるように変形し、着用者の肌に吸収体が密着するため、尿等の排泄物が着用物品から漏れるのを抑えることができる。
【図面の簡単な説明】
【００１７】
【図１】本発明に係る使い捨て着用物品の一例として示す、使い捨ておむつの斜視図。
【図２】各弾性体の最大伸長時まで縦方向及び横方向に伸展したおむつの一部破断展開平面図。
【図３】おむつの分解斜視図。
【図４】吸液構造体の拡大平面図。
【図５】図４の矢視Ｖ−Ｖの断面図。
【図６】（ａ）おむつを着用するときの初期における吸収体及びサイドフラップの作用を説明する断面図。（ｂ）おむつを着用するときにおける吸収体及びサイドフラップの作用を説明する断面図。
【図７】第１変形例のおむつの図４と同様の平面図。
【図８】第２変形例のおむつの図４と同様の平面図。
【発明を実施するための形態】
【００１８】
下記の実施の形態は、添付図面に示すおむつに関し、発明の不可欠な構成ばかりではなく、選択的及び好ましい構成を含む。
【００１９】
図１〜図３を参照すると、本発明に係る使い捨て着用物品の一例である使い捨ておむつ１０は、互いに交差（直交）する横方向Ｘおよび縦方向Ｙと、肌対向面及びそれに対向する非肌対向面とを有し、弾性を有するウエストパネル１１と、ウエストパネル１１に取り付けられた吸液構造体１２とから構成される。おむつ１０は、さらに、前ウエスト域１３と、後ウエスト域１４と、前後ウエスト域１３，１４の間に位置するクロッチ域１５とを有する。
【００２０】
＜ウエストパネル＞
ウエストパネル１１は、前ウエスト域１３を形成する前ウエストパネル１６と、後ウエスト域１４を形成する後ウエストパネル１７とから構成される。前ウエストパネル１６は、図４に示すように、略長方形状であって、吸液構造体１２の前端部１２Ａと交差し、横方向へ延びる内端縁１６ａと、縦方向において内端縁１６ａと離間対向して横方向へ延びる外端縁１６ｂと、内端縁１６ａと外端縁１６ｂとの間において縦方向へ延びる両外側縁１６ｃとを有する。後ウエストパネル１７は、図２及び図３に示すように、略台形状であって、吸液構造体１２の後端部１２Ｂと交差し、横方向へ延びる内端縁１７ａと、内端縁１７ａと縦方向において離間対向して横方向へ延びる外端縁１７ｂと、内端縁１７ａと外端縁１７ｂとの間において縦方向へ延びる両外側縁１７ｃと、両外側縁１７ｃと内端縁１７ａとをつなぎ、かつ、傾斜して延びる両内側縁１７ｄとを有する。ここで、本実施形態における「前ウエスト域１３」とは、前ウエストパネル１６によって画定される領域を意味し、「後ウエスト域１４」とは、後ウエストパネル１７によって画定される領域（後記の臀部カバー部２９を有する領域）を意味し、「クロッチ域１５」とは、前ウエスト域１３と後ウエスト域１４との間に位置して吸液構造体１２によって画定される領域を意味する。
【００２１】
前ウエストパネル１６の両外側縁１６ｃと、着用状態において、それらに前後方向において対向する後ウエストパネル１７の両外側縁１７ｃとは、互いに重ね合わされて、縦方向へ間隔をあけて配置されるサイドシーム１８を介して連結されることによってウエスト開口１９及び一対のレッグ開口２０が画定される。サイドシーム１８においては、熱又は超音波（ソニック）によるエンボス加工によって互いに重なり合うシートが融着される。後ウエスト域１４は前ウエスト域１３よりも縦方向の寸法が大きく、サイドシーム１８から下方へ延びる臀部カバー部２９を有する。臀部カバー部２９は、後ウエスト域１４側からクロッチ域１５側へ向かって次第に幅狭となる略台形状を有し、着用者の臀部を被覆しうる大きさを有する。なお、後ウエストパネル１７は、前ウエストパネル１６と同様の、臀部カバー部２９を有しない、横長矩形状のものであってもよい。
【００２２】
＜前後ウエストパネル＞
図２を参照すると、前後ウエストパネル１６、１７は、それぞれ、肌対向面側に位置する内層シート２１，２２と、非肌対向面側に位置する外層シート２３，２４と、横方向へ延びる複数条のストリング状又はストランド状の弾性材料から形成され、内外層シート２１，２２，２３，２４の間においてホットメルト接着剤を介して伸長状態で収縮可能に取り付けられた各ウエスト弾性体５１，５２，５３とを有する。
【００２３】
内外層シート２１，２２，２３，２４は、それらの内面のいずれかに塗布されたホットメルト接着剤を介して固定されていてもよいし、各ウエスト弾性体の外周に塗布されたホットメルト接着剤を介して両シートが固定されていてもよい。
【００２４】
＜各弾性域＞
前後ウエスト域１３，１４には、各ウエスト弾性体５１，５２によって少なくとも横方向へ伸縮可能な前後ウエスト弾性域３０，４０が形成されている。前後ウエスト弾性域３０，４０は、ウエスト開口縁（外端縁１６ｂ，１７ｂ）側において横方向へ延びる上側弾性域３１，４１と、内端縁１６ａ，１７ａの側において横方向へ延びる下側弾性域３２，４２とを有する。上側弾性域３１，４１及び下側弾性域３２，４２には、それぞれ、横方向へ延びる複数条の第１ウエスト弾性体５１及び第２ウエスト弾性体５２を配置してある。前ウエスト域１３における下側弾性域３２、及び後ウエスト域１４における下側弾性域４２は、横方向において互いに離間対向した一対の弾性域から形成されており、それらの間には前後ウエスト域１３，１４の横方向の中央部に位置する、各ウエスト弾性体が配置されていない又は実質的に非弾性化された状態で配置された非弾性域５５，５６が画定される。このように、後ウエスト域１４において、非弾性域５６が画定されることによって、下側弾性域４２に位置する第２ウエスト弾性体５２の実質的に弾性力を有する部分は、吸収体６６と平面視において互いに重なっていない。
【００２５】
また、後ウエスト域１４の両内側縁１７ｄ（臀部カバー部２９の領域）の間には、横方向へ延びる第３ウエスト弾性体５３を配置してある。図示された態様において、第３ウエスト弾性体５３は単数の弾性材料から形成されているが、複数条配置されていてもよく、その場合には臀部カバー部２９全体に均等に配置されていてもよい。おむつ１０の着用状態において、各弾性体５１，５２，５３の収縮力によるギャザー５８が形成される（図１参照）。
【００２６】
ここで、前ウエスト弾性域３０とは、前ウエスト域１３の領域、すなわち、前ウエスト域１３の両外側縁１６ｃ間の領域を意味し、後ウエスト弾性域４０とは、後ウエスト域１４の領域、すなわち、両外側縁１７ｃ間の部分と両内側縁１７ｄ間の部分（臀部カバー部２９）とを合わせたものを意味する。
【００２７】
第１ウエスト弾性体５１は、繊度が３１０〜９４０ｄｔｅｘであって、収縮または弛緩された状態から２．０〜２．８倍、好ましくは、２．４〜２．７倍に伸長されたストリング状またはストランド状の弾性材料を用いることができる。第２ウエスト弾性体５２は、繊度が３１０〜９４０ｄｔｅｘであって、収縮または弛緩された状態から２．６〜３．６倍、好ましくは、２．９〜３．４倍に伸長されたストリング状またはストランド状の弾性材料を用いることができる。第３ウエスト弾性体５３は、繊度が３１０〜９４０ｄｔｅｘであって、収縮または弛緩された状態から１．５〜２．５倍、好ましくは、１．７〜２．１倍に伸長されたストリング状またはストランド状の弾性材料を用いることができる。
【００２８】
図２を参照すると、おむつ１０の縦方向における寸法Ｌ１は４７０〜５６０ｍｍであり、おむつ１０の横方向における寸法（一対のシーム１８の間の寸法）Ｗ１は３４０〜４２０ｍｍであり、クロッチ域１５の縦方向の寸法Ｌ２は２１０〜２９０ｍｍであり、吸液構造体１２の横方向の寸法Ｗ２は１７０〜２１０ｍｍである。なお、Ｌ１，Ｌ２，Ｗ１，Ｗ２，Ｗ３，Ｗ４，Ｗ５，Ｗ６，Ｗ７は、おむつ１０の展開状態において、弾性部材の収縮作用によるギャザーが形成されない程度にまで縦方向及び横方向へ伸長された状態で測定したものである。
【００２９】
図２、図３及び図４を参照すると、吸液構造体１２は、縦長の略矩形状であって、前ウエストパネル１６の肌対向面に取り付けられた前端部１２Ａと、後ウエストパネル１７の肌対向面に取り付けられた後端部１２Ｂと、前後端部１２Ａ，１２Ｂの間において縦方向へ延び、クロッチ域１５を形成する中間部１２Ｃとを有する。吸液構造体１２とウエストパネル１１とは、いずれか一方の内面に全面的にホットメルト接着剤を塗布すると柔軟性が損なわれるので、部分的に連結されていることが好ましく、ライン状のほかに、スパイラル状やドット状等にホットメルト接着剤を塗布して連結することが好ましい。
【００３０】
図２及び図３を参照すると、吸液構造体１２は、肌対向面側に位置する透液性の身体側ライナ６３と、非肌対向面側に位置する疎水性の被覆シート（外面シート）６４と、それらの間に介在されたパッド状の吸液性を有する吸収体６６とを含む。身体側ライナ６３は、例えば、質量１５〜３０ｇ／ｍ２の親水化処理されたスパンボンド繊維不織布、ＳＭＳ繊維不織布等から形成することができる。被覆シート６４は、質量８〜１５ｇ／ｍ２の疎水性のＳＭＳ繊維不織布やスパンボンド不織布等から形成される。被覆シート６４と吸収体６６との間には、質量１５〜２２ｇ／ｍ２の通気性を有するプラスチックフィルムから形成された防漏シート６７が配置される。吸液構造体１２は、吸収体６６の前後端縁６６ａ，６６ｂよりも縦方向の外側に延出した身体側ライナ６３及び被覆シート６４から形成されたエンドフラップ６９と、吸収体両側縁６６ｃよりも横方向の外側に延出した身体側ライナ６３、被覆シート６４及び防漏シート６７から形成されたサイドフラップ７０とをさらに有する。吸収性コアを包被するコアラップシートと身体側ライナ６３、コアラップシートと防漏シート６７、及び防漏シート６７と被覆シート６４のそれぞれは、いずれか一方の内面に全面的にホットメルト接着剤を塗布すると柔軟性が損なわれるので、部分的に連結されていることが好ましく、ライン状のほかに、スパイラル状やドット状等にホットメルト接着剤を塗布して連結することが好ましい。
【００３１】
吸液構造体１２の両側部では、例えば、被覆シート６４の一部が内方へ向かって折り曲げられて固定され、該折曲部とそれに対向する被覆シート６４との間には、縦方向へ延びる、繊度が４７０〜７８０ｄｔｅｘであって、収縮または弛緩された状態から２．０〜２．８倍に伸長された複数条のストリング状又はストランド状の弾性材料から形成されたレッグ弾性体７１が配置される。吸液構造体１２の両側部（サイドフラップ７０）は、レッグ弾性体７１の伸縮力が作用するレッグ弾性域７２と、レッグ弾性域７２の横方向の内側に位置する、レッグ弾性体７１が配置されていないレッグ非弾性域７３とを有する。複数条のレッグ弾性体７１は、例えば、横方向の間隔（ピッチ）が同一となるように配置してある。
【００３２】
被覆シート６４の両側部は、その一部が内方へ向かって折り曲げられて固定されており、該折曲部とそれに対向する被覆シート６４との間には、縦方向へ延びる、繊度が３１０〜９４０ｄｔｅｘであって、収縮または弛緩された状態から２．２〜２．７倍に伸長された複数条のストリング状又はストランド状の弾性材料から形成されたレッグ弾性体７１が配置される。
【００３３】
吸収体６６は、フラッフ木材パルプや超吸収性ポリマー粒子等の吸収材料から形成された吸収性コアと、吸収性コアの全体を包被する質量１３〜２０ｇ／ｍ２のティッシュペーパ等から形成された透液性のコアラップシートとを含む。図２及び図４に示すように、吸収体６６は、前後ウエスト域１３，１４に位置する前後端縁６６ａ，６６ｂ、及び前後端縁６６ａ，６６ｂの間において縦方向へ延びる吸収体両側縁６６ｃの周縁によって画定される略長方形を有している。吸収体６６は、横方向の中央に位置する中央部６６ｄと、横方向の両側に位置する吸収体両側部６６ｅとをさらに有している。吸収体６６は、前後端縁６６ａ，６６ｂ及び吸収体両側縁６６ｃの内側に位置するとともに、吸収体両側部６６ｅに位置して縦方向へ延びる変形誘導部７８とを有している。
【００３４】
変形誘導部７８は、肌対向面側から非肌対向面側へ向かって凹んだ凹条溝（スリット）であって、吸収性コアが存在しない非存在域である。変形誘導部７８は、クロッチ域１５において互いに横方向へ所与寸法離間して配置されている。
【００３５】
変形誘導部７８は、吸収体６６の一部を取り除く、または、加圧することによって形成された有底の凹条溝であってもよい。加圧して形成された場合には、吸収体６６の他の領域に比して高密度かつ高剛性の領域となる。また、変形誘導部７８は、２条以上であってもよいし、全体的に縦方向へ直状に延びるものではなく、その一部又は全体が湾曲していてもよい。
【００３６】
変形誘導部７８は、縦方向の両端に誘導両端部７８ａ，７８ｂを有している。
誘導両端部７８ａ，７８ｂは、クロッチ域１５に位置し、変形誘導部７８は、前後ウエスト域１３，１４に平面視において重なっていない。
【００３７】
誘導両端部７８ａ，７８ｂは、横方向及び縦方向に対して交差（直交）する厚さ方向Ｚにおいて、肌対向面の側から非肌対向面の側へ、厚さ方向の寸法が徐々に小さくなるように傾斜する態様を有する。ただし、本発明の技術的効果を奏する限りにおいて、誘導両端部７８ａ，７８ｂの厚さ方向の寸法が変化しなくてもよい。
【００３８】
吸液構造体１２の吸液構造体前後端縁１２ｄ，１２ｅには、それを被覆するカバーシート７９ａ，７９ｂが取り付けてある。カバーシート７９ａ，７９ｂは、質量１３〜２０ｇ／ｍ２の繊維不織布やプラスチックシートなどから形成され、吸液構造体前後端縁１２ｄ，１２ｅと交差した状態で前後ウエストパネル１６，１７の肌対向面にホットメルト接着剤（図示せず）を介して固定される。吸液構造体前後端縁１２ｄ，１２ｅがカバーシート７９ａ，７９ｂに被覆されることによって、着用者の肌に吸液構造体前後端縁１２ｄ，１２ｅが接触することがない。
【００３９】
また、後ウエスト弾性域４０において、下側弾性域４２とサイドフラップ７０とが互いに平面視において重なって接合されている。このように、下側弾性域４２とサイドフラップ７０とが互いに交差することによって、下側弾性域４２とレッグ弾性体７１の伸長力の作用するレッグ弾性域とが協働して着用者の脚回りには仮想の環状の弾性帯が形成されるので、脚回りからの排泄物の漏れを抑制することができる。
【００４０】
図６（ａ）を参照すると、おむつ１０を着用する際に、着用者の両脚をレッグ開口２０に挿し入れて、着用者又は着用補助者がおむつ１０の両側部を把持して着用者の股間部９の下方までおむつ１０を引き上げた状態において、吸収体６６はほぼ平坦な状態を維持しており、弾性を有するサイドフラップ７０が大腿部８の内側に当接されている。吸収体６６は、股間部９の下方においてフラットな状態で股間部９から離れて位置することによって、吸収体６６と股間部９との間には空間Ｓが形成されている。
【００４１】
図６（ｂ）を参照すると、かかる状態から、着用者がおむつ１０をさらに上方へ引き上げたときに、着用者の肌と弾性を有するサイドフラップ７０との摩擦抵抗によってサイドフラップ７０は大腿部８の内側に当接された位置に留まろうとする一方、吸収体６６は、変形誘導部７８の影響によって、変形誘導部７８を起点として下方へ凹状となるよう（中央部６６ｄが上方に位置し、吸収体６６における変形誘導部７８よりも横方向の外側に位置するサイド部分６６ｆが中央部６６ｄの下方に位置するよう）に変形する。サイドフラップ７０がおむつ１０を着用するときの当接位置に留まる一方、吸収体６６は凹状に変形して股間部９に近づくことによって、空間Ｓが次第に小さくなり、吸収体６６が股間部９に密着した状態となる。
【００４２】
このように、サイドフラップ７０が吸収体６６の下方において、大腿部８の内側に当接してつっぱるように（引っ掛かるように）して吸収体６６が変形した状態を維持することによって、吸収体６６を着用者の股間部９に密着させて体液を十分に吸収させることができるとともに、サイドフラップ７０と大腿部８との間から体液が横漏れするのを効果的に防止することができる。また、吸収体６６と股間部９との間に空間Ｓが形成されないことによって、クロッチ域１５のフィット性が向上して着用感に優れる。
【００４３】
クロッチ域１５の幅寸法及び吸収体６６の幅寸法は、おむつ１０のサイズによって種々異なるところ、本実施形態に係るおむつ１０においては、サイドフラップ７０の横方向の寸法Ｗ３が、吸収体６６の吸収体両側縁６６ｃから変形誘導部７８までの横方向の寸法Ｗ４よりも大きくなっていることによって、弾性を有するサイドフラップ７０が比較的に幅広となり、比較的に幅狭な場合に比して、その摩擦抵抗力が大きく、着用者の大腿部８に当接した位置により留まることができるといえる。また、おむつ１０を引き上げようとするとき、変形誘導部７８が吸収体６６の中央部側に位置する場合、すなわち、吸収体両側部６６ｅが比較的に幅広の場合には、サイドフラップ７０がその弾性によって大腿部８の当接位置に留まろうとする力が吸収体６６の全体に作用して、おむつ１０を引き上げようとする力が十分に吸収体６６に作用され難くなるおそれがある。
【００４４】
本実施形態においては、吸収体両側部６６ｅが比較的に幅狭であることによって、変形誘導部７８においてサイドフラップ７０による吸収体６６を留まらせようとする力を分断し、中央部６６ｄを着用者の股間部９に向かって引き上げやすくなる。また、相対的に吸収体６６の中央部６６ｄの幅寸法が大きくなるので、股間部９に密着した中央部６６ｄにおいて体液を十分に吸収、保持することができる。かかる効果を奏するためには、サイドフラップ７０の横方向の寸法Ｗ３は、２５〜４５ｍｍが好ましく、吸収体両側縁６６ｃから変形誘導部７８の側縁までの横方向の寸法Ｗ４は、２０〜４０ｍｍが好ましい。ただし、Ｗ３及びＷ４を上記の数値の範囲内にそれぞれ設定したとしても、サイドフラップ７０の横方向の寸法Ｗ３が、吸収体両側縁６６ｃから変形誘導部７８の側縁までの横方向の寸法Ｗ４より大きいことが好ましく、レッグ弾性域７２の横方向の寸法Ｗ６が、吸収体両側縁６６ｃから変形誘導部７８の側縁までの横方向の寸法Ｗ４より大きいことがより好ましい。
【００４５】
変形誘導部７８は、吸収体６６を変形してその中央部６６ｄを着用者の身体へ近づけるための折曲起点として機能することのほかに、吸収した排泄物を吸収体６６の全体に拡散させるための誘導溝としての機能も有する。また、変形誘導部７８は、着用者の股間部９と対向するクロッチ域１５にのみ位置している。前後ウエスト域１３，１４に変形誘導部７８が位置していないことによって、前後ウエスト域１３，１４において吸収体６６が変形することはなく、その変形が外形に現れて外観を損ねることはない。
【００４６】
また、変形誘導部７８は、縦方向の両端に誘導両端部７８ａ，７８ｂを有し、前ウエスト域１３の側に位置する一方の誘導端部７８ａが、後ウエスト域１４の側に位置する他方の誘導端部７８ｂよりも上方に位置するように変形誘導部７８が縦方向において偏位している。よって、クロッチ域１５の前ウエスト域１３側では、吸収体６６を着用者の肌に密着するように変形させて尿等の排泄物がおむつ１０から漏れるのを抑えることができる一方、クロッチ域１５の後ウエスト域１４の側では、吸収体６６の変形を抑え、臀部を広く覆うことができる。
【００４７】
図２を参照すると、吸収体６６は、吸収体両側部６６ｅの間に、吸収性コアが縦方向へ連続する中央部６６ｄを有し、後ウエスト域１４は、横方向において離間対向する一対の弾性域（下側弾性域４２）と、弾性域（下側弾性域４２）の間に位置する非弾性域５６とを有し、弾性域（下側弾性域４２）と非弾性域５６との境界線Ｌ８をクロッチ域１５へ延長した一対の仮想線Ｌ９の間に、変形誘導部７８が位置する。変形誘導部７８がかかる配置態様を有すること、および一対の弾性域（下側弾性域４２）と弾性域（下側弾性域４２）の間に位置する非弾性域５６とを有することによって、着用者又は着用補助者が、おむつ１０の後ウエスト域１４の横方向の中央部を把持して引き上げて後ウエスト域１４を臀部にフィットさせるときに、下側弾性域４２の伸縮作用によって引き上げようとする力がウエスト回り方向へ分散されることはなく、下方に位置する変形誘導部７８の間に位置する中央部６６ｄに直接的に作用され、吸収体６６が変形し、中央部６６ｄが引き上げられて着用者の股間部にフィットさせることができる。
【００４８】
サイドフラップ７０は、縦方向へ延びる複数条のレッグ弾性体７１と、レッグ弾性体７１が取り付けられたベースシートとを有する。サイドフラップ７０のベースシートは、吸液構造体１２の非肌対向面側に位置する被覆シート６４によって形成されている。サイドフラップ７０のベースシートが吸液構造体１２の被覆シート６４と別体のシートから形成されている場合にはシートどうしの接合部位から体液が横漏れするおそれがあるが、それらのシートが一体に形成されていることによって、かかる横漏れを抑制することができる。
【００４９】
着用状態において、サイドフラップ７０のレッグ非弾性域７３が着用者の身体へ向かって起立したような態様となる一方、レッグ弾性域７２は大腿部に沿ってその内側にフィットする。かかる効果を奏するためには、例えば、レッグ非弾性域７３の横方向の寸法Ｗ５が５〜１５ｍｍであることが好ましく、レッグ弾性域７２の横方向の寸法Ｗ６が１５〜３５ｍｍであることが好ましい。また、サイドフラップ７０の横方向の寸法Ｗ３に対する、レッグ非弾性域７３の横方向の寸法Ｗ５の比（Ｗ５／Ｗ３）は、１１〜６０％が好ましく、サイドフラップ７０の横方向の寸法Ｗ３に対する、レッグ弾性域７２の横方向の寸法Ｗ６の比（Ｗ６／Ｗ３）は、３３〜９５％が好ましい。
【００５０】
＜第１変形例＞
図７は、上述したおむつ１０の第１変形例の一例を示す、図４と同様の平面図である。このおむつ１０における防漏シート６７は、サイドフラップ７０の横方向の寸法Ｗ３に対する、サイドフラップ７０内に位置する防漏シート６７の横方向の寸法Ｗ７が５０％以上である。よって、防漏シート６７によって、吸収体６６とサイドフラップ７０とが繋がっているため、サイドフラップ７０の弾性によって着用者の肌にサイドフラップ７０を密着させると、吸収体両側部６６ｅを着用者の肌に密着させることができ、これによって排泄物がおむつ１０から漏れるのを抑えることができる。また、サイドフラップ７０内に位置する防漏シート６７の横方向の寸法Ｗ７は、２０〜６０ｍｍが好ましい。
【００５１】
また、吸収体６６は、前後ウエスト域１３，１４に位置する前後端縁６６ａ，６６ｂと、前後端縁６６ａ，６６ｂ間において縦方向へ延びる凹曲状の吸収体両側縁６６ｃとを有するように形成してもよい。吸収体両側縁６６ｃが凹曲状であるため、クロッチ域１５の縦方向の中央部で、吸収体６６の横方向の寸法を小さくすることができ、これにより、着用中、着用者の脚が吸収体両側縁６６ｃに接触することを抑え、はき心地が低下するのを抑えることができる。
【００５２】
＜第２変形例＞
図８は、上述したおむつ１０の第２変形例の一例を示す、図４と同様の平面図である。このおむつ１０におけるレッグ弾性体７１の間隔は、吸液構造体両側縁１２ｆに近くなるほど狭くなる。よって、サイドフラップ７０は、吸液構造体両側縁１２ｆに近くなるほど着用者の肌に密着し、排泄物がおむつ１０から漏れるのを抑えることができる。
【００５３】
なお、上述した実施の形態では、吸液構造体１２と前ウエストパネル１６と後ウエストパネル１７との３つのパネルでおむつ１０を構成するものを説明した。しかし、この発明はそれに限られず、前後ウエスト域１３，１４からクロッチ域１５へ延びる一体的な内外層シートの肌対向面に吸液構造体を取り付けておむつ１０を構成してもよい。
【００５４】
また、上述した実施形態では、前ウエスト域１３の側に位置する一方の誘導端部７８ａが、後ウエスト域１４の側に位置する他方の誘導端部７８ｂよりも上方に位置するように変形誘導部７８が縦方向において偏位しているおむつ１０を説明した。しかし、この発明は、それに限られず、変形誘導部７８は、縦方向へ偏倚しないように配置してもよい。
【００５５】
さらに、上述した実施形態及び変形例は、分離して又は互いに組み合わせて採択することができる。
【００５６】
本発明のおむつ１０を構成する各構成材料には、特に記述がなされている場合を除き、この種の分野において通常用いられている、各種の公知の材料を制限なく用いることができる。また、本明細書において使用されている「第１」および「第２」等の用語は、同様の要素、位置等を単に区別するために用いてある。
【符号の説明】
【００５７】
１０    使い捨て着用物品（使い捨ておむつ）
１２    吸液構造体
１２ｆ  吸液構造体両側縁
１３    前ウエスト域
１４    後ウエスト域
１５    クロッチ域
４０    弾性域
５６    非弾性域
６４    被覆シート
６６    吸収体
６６ｅ  吸収体両側部
６７    防漏シート
７０    サイドフラップ
７１    レッグ弾性体
７８    変形誘導部
７８ａ  一方の誘導端部（誘導両端部のうちの一方の誘導端部）
７８ｂ  他方の誘導端部（誘導両端部のうちの他方の誘導端部）
Ｌ８    境界線
Ｌ９    仮想線
Ｗ３    サイドフラップの横方向の寸法
Ｗ４    吸収体両側縁から変形誘導部までの横方向の寸法
Ｘ      横方向
Ｙ      縦方向
【図１】
2019097967.tif 000003
【図２】
2019097967.tif 000004
【図３】
2019097967.tif 000005
【図４】
2019097967.tif 000006
【図５】
2019097967.tif 000007
【図６】
2019097967.tif 000008
【図７】
2019097967.tif 000009
【図８】
2019097967.tif 000010